(57)【要約】【課題】異なるサイズの電池を混在して収納できる紙製電池パッケージを提供する。【解決手段】前後に扁平な箱状で、後面に固定される封止部と開封状態で後面に係脱可能な蓋部とがジッパー部１４を介して接続されて前面２の上縁辺２１から後面３を覆うフラップ部１０を備えた外箱１ａ内に、前後方向に離間して配置されている前壁部９１と後壁部９２Ｒが側壁部９３によって接続されて複数本の第１の電池８０ａを左右方向に１列に収納するための第１の領域１Ｒと、上下方向から見て波形に屈曲されてなる波形壁部９２Ｌを備えて複数本の第２の電池８０ｂを左右方向に向かって千鳥状に収納するための第２の領域１Ｌとが左右方向に接続された仕切部材が配置され、外箱内に第１の領域により第１の電池を所定本数毎に仕切る第１の区画９０ａと、第２の領域により第２の電池を１本ずつに仕切る第２の区画９０ｂとが形成される紙製電池パッケージ１としている。【選択図】図５
2018181426.tif 000002
【特許請求の範囲】
【請求項１】
複数の第１の円筒形電池と、当該第１の円筒形電池よりも直径が小さい第２の円筒形電池とを上下方向を軸方向として直立させた状態で収納する紙製電池パッケージであって、  
1枚の台紙から組み立てられてなる外箱内に１枚の台紙から組み立てられてなる仕切部材が配置されてなり、
前記外箱は、前後に扁平な箱状で、矩形状の前面と、当該前面と対面する領域を有して上端側が左右の幅で切り開かれてなる開口部を有する後面と、前記前面の上縁辺から上面を形成しつつ前記後面を覆う形状に形成されたフラップ部とを備え、
当該フラップ部は、前記外箱を開封させるジッパー部と、前記上面の後縁辺に接続されるとともに前記後面を覆いつつ当該後面に係止可能な蓋部と、当該蓋部と前記ジッパー部を介して接続されて前記後面に固定される封止部とを有し、
前記仕切部材は、複数本の前記第１の円筒形電池を左右方向に１列に並列配置させた状態で収納するための第１の電池収納領域と、当該第１の電池収納領域の左右一方に隣接して複数本の前記第２の円筒形電池を左右方向に向かって千鳥配置された状態で収納するための第２の電池収納領域とを有し、
前記第１の電池収納領域は、前後方向を法線とする面を有して前後方向に離間して配置されている前壁部と後壁部が左右方向を法線とした面を有する側壁部によって接続されてなり、
前記第２の電池収納領域は、前記第１の電池収納領域の左右一方の端部に形成された前記側壁部に連続して当該左右一方の方向に帯状に延長する台紙の一部が上下方向から見て波形に屈曲されてなる波形壁部を備え、
開封状態では、前記蓋部が前記後面に係脱自在に開閉し、
開封前の封止状態では、前記フラップが前記封止部によって前記後面に固定されているとともに、前記仕切部材の前記第１の電池収納領域により複数本の前記第１の円筒形電池を所定本数毎に仕切って収納する第１の区画と、前記仕切部材の前記第２の電池収納部により前記第２の円筒形電池を１本ずつ仕切って収納する第２の区画とが形成され、
前記第１の区画は、直立した１本の前記第１の円筒形電池の転倒を防止する左右幅を有し、
前記第２の区画は、上下方向から見て、前記波形壁部の面と前記外箱の内面とによって閉鎖されてなり、一つの前記第２の区画は、１本の前記第２の円筒形電池の側面を前記波形壁部の面と前記外箱の内面とに接触させた状態で収納するように形成されている、
ことを特徴とする紙製電池パッケージ。
【請求項２】
請求項１に記載の紙製電池パッケージおいて、
前記外箱は、上端と下端が山型に形成されて左右方向で互いに対面する左側面および右側面と、左右方向から見て前記山型を形成するように左右方向に稜線を有して屈曲あるいは湾曲されてなる上面および下面を有し、
前記封止状態では、前記外箱の内部に前記上面と前記下面とによって前記円筒形電池の上方と下方に空間が形成される、
ことを特徴とする紙製電池パッケージ。
【請求項３】
請求項１または２に記載の紙製電池パッケージおいて、
前記第２の電池収納領域には、上下方向から見て、前記波形壁部に波高が同じで波長が異なる複数の電池収納領域が形成され、
当該複数の電池収納領域のそれぞれには、前記波長に応じた直径を有する円筒形電池が左右方向に向かって千鳥配置された状態で収納される、
ことを特徴とする紙製電池パッケージ。
【請求項４】
請求項１〜３のいずれかに記載の紙製電池パッケージおいて、
左右の一方を左方、他方を右方として、
前記前壁部は、前記後壁部に対して上方に配置され、前記第１の電池収納領域と前記第２の電池収納領域との境界に対して左方の領域と右方の領域とを有するとともに、左右方向に延長する上縁辺と上下方向に延長する左右の縁辺とを有し、  
前記第１の電池収納領域は、前記前壁部の前記右方の領域と後壁部とが対面しない状態で前記側壁部を介して前後方向で接続されてなり、
前記第２の電池収納領域は、前記前壁部の前記左方の領域と前記波形壁部とによって形成され、
前記前壁部の下縁辺は、前記第１の電池収納領域では、右方の裏刃の谷から左下方に向かう上刃を経て左方の裏刃の山に至る鋸刃状に形成されているとともに、前記第２の電池収納領域では、前記上刃に沿って左下方に向かう途上で左右方向に延長する直線に沿って屈曲して左方の縁辺に至り、
前記後壁部は、左右方向に延長する下縁辺と上下方向に延長する右方の縁辺を有し、
前記後壁部の上縁辺は、右方の裏刃の山から左下方に向かう上刃を経て左方の裏刃の谷に至る鋸刃状に形成され、
前記前壁部の前記裏刃の谷および山が、それぞれ前記後壁部の前記裏歯の前記山および谷に接続されて前記側壁部が形成され、
前記波形壁部は、前記第１の電池収納領域の左端に形成された前記側壁部の後縁辺から前記後壁部の下縁辺に至る上下方向の折り線に沿って前方に山折りに折り返されているとともに、前記前壁部に至る途上で谷折りされた後、順次波頂が形成されるように、左方に向かって交互に谷折りおよび山折りされている、
ことを特徴とする紙製電池パッケージ。
【発明の詳細な説明】
【技術分野】
【０００１】
この発明は円筒形電池を収納するための紙製電池パッケージに関する。
【背景技術】
【０００２】
アルカリ乾電池などの円筒形電池は、複数本の電池が電池パッケージに包装された状態で販売されることが多い。電池パッケージとしては、プラスチックフィルムを用いたシュリンクパックや紙製の台紙にプラスチック製の透明カバーを貼り付けたブリスターパックがよく知られている。しかし、シュリンクパックは開封後に破棄されることが多く、資源のリサイクルやゴミの削減など、近年の環境問題に鑑みれば、環境に優しいとは言えない。ブリスターパックでは、リサイクル資源として再利用されることがあるが、紙製の台紙とプラスチック製カバーとに分別する必要がある。台紙とカバーが接着されている場合には、開封に際してカバーに台紙の表面が付着し、分別自体が難しくなる。もちろんシュリンクパックであってもリサイクル資源として再利用することは可能であるが、プラスチックフィルムの包装体に商品名などが印刷された紙製のラベルが貼着されており、やはり分別が難しい。
【０００３】
そこで環境に優しい電池パッケージとして、包装材に紙を用いた紙製電池パッケージが注目されている。紙製電池パッケージは、折れ線が画成された１枚の台紙から組み立てられた箱であり、開封前の電池パッケージは、一般的に、接着剤などを用いて箱の開口部が封止されている。
【０００４】
紙製電池パッケージは、単一の素材から構成されているためリサイクルが容易である。再生紙を用いることで材料コストを低減させることができる。１枚の台紙を折り曲げて箱状に形成して、その箱を封止するだけの簡素な工程で組み立てることができる。そのため製造コストを低減させることもできる。なお以下の特許文献１〜３には、紙製電池パッケージについて記載されている。
【先行技術文献】
【特許文献】
【０００５】
【特許文献１】特開１９９９−１２４１６８号公報
【特許文献２】特開２００３−８６１６１号公報
【特許文献３】特開２００９−２５２３７７号公報
【発明の概要】
【発明が解決しようとする課題】
【０００６】
現実として、日常でよく目にする電池パッケージは、紙製のものよりも、シュリンクパックやブリスターパックの方が圧倒的に多い。したがって、紙製電池パッケージをより広く普及させるためには、紙製電池パッケージの欠点を解消しつつ、環境に優しい、ということ以外の利点を備えたものとすることが必要となる。
【０００７】
例えば、上記特許文献のいずれかには、開封後の電池パッケージを電池の保管ケースとして利用できるという機能について記載されていた。しかし従来の紙製電池パッケージは、一般的な紙製の箱と同様に先端に差し込みのあるフラップを蓋代わりにして電池パッケージの開口部を閉鎖しているだけである。しかも、紙製電池パッケージの多くは、１０本程度の同型の電池が収納された状態で提供されている。そして、紙製電池パッケージに収納されている円筒形電池は、一度に全部が使用されるのでなく、円筒形電池を使用する機会ごとに１本ずつ保管ケースとしての紙製電池パッケージから取り出される。そのため、電池パッケージ内の円筒形電池の残数が少なくなっていくと、パッケージ内で円筒形電池が倒れ、取り出しにくくなる。
【０００８】
さらに、実際の円筒形電池の使用状況を考慮すると、一つの紙製電池パッケージに多数本の同型の円筒形電池が収納されていること自体にも問題がある。すなわち、円筒形電池を電源とした機器は様々であり、全ての機器で使用する円筒形電池のサイズがすべて同じであるとは限らない。特に単三形と単四形の円筒形電池は同程度に広く使用されている。したがって、利用者が異なるサイズの円筒形電池を用意しておく必要があれば、利用者は円筒形電池のサイズ毎に紙製電池パッケージを購入する必要がある。それぞれに異なるサイズの円筒形電池が入った紙製電池パッケージを個別に保管しておく必要もあり、紙製電池パッケージ自体の保管場所も確保する必要がある。
【０００９】
確かに、一つの紙製電池パッケージにサイズが異なる複数種類の円筒形電池を混合して収納すること自体は容易である。しかし、サイズが異なる円筒形電池を一つの紙製電池パッケージに収納すれば、直径が小さい方の円筒形電池が紙製電池パッケージ内でがたつき、紙製電池パッケージ内に複数の円筒形電池を整然と収納することが難しくなる。あるいは、がたつきの原因となる紙製電池パッケージ内の隙間をパッドで埋めたり、紙製電池パッケージを異なる種類の円筒形電池のそれぞれの直径に合わせて凹凸のある複雑な形状にしたりする必要があり、紙製電池パッケージの製造コストが増大する。
【００１０】
そこで本発明は、大きなコストアップを招くことなく、様々な要求を満たした多種多様な機能を備えつつ、異なるサイズの円筒形電池を収納することができる紙製電池パッケージを提供することを目的とする。
【課題を解決するための手段】
【００１１】
上記目的を達成するための本発明は、複数の第１の円筒形電池と、当該第１の円筒形電池より直径が小さい第２の円筒形電池とを上下方向を軸方向として直立させた状態で収納する紙製電池パッケージであって、  
1枚の台紙から組み立てられてなる外箱内に１枚の台紙から組み立てられてなる仕切部材が配置されてなり、
前記外箱は、前後に扁平な箱状で、矩形状の前面と、当該前面と対面する領域を有して上端側が左右の幅で切り開かれてなる開口部を有する後面と、前記前面の上縁辺から上面を形成しつつ前記後面を覆う形状に形成されたフラップ部とを備え、
当該フラップ部は、前記外箱を開封させるジッパー部と、前記上面の後縁辺に接続されるとともに前記後面を覆いつつ当該後面に係止可能な蓋部と、当該蓋部と前記ジッパー部を介して接続されて前記後面に固定される封止部とを有し、
前記仕切部材は、複数本の前記第１の円筒形電池を左右方向に１列に並列配置させた状態で収納するための第１の電池収納領域と、当該第１の電池収納領域の左右一方に隣接して複数本の前記第２の円筒形電池を左右方向に向かって千鳥配置された状態で収納するための第２の電池収納領域とを有し、
前記第１の電池収納領域は、前後方向を法線とする面を有して前後方向に離間して配置されている前壁部と後壁部が左右方向を法線とした面を有する側壁部によって接続されてなり、
前記第２の電池収納領域は、前記第１の電池収納領域の左右一方の端部に形成された前記側壁部に連続して当該左右一方の方向に帯状に延長する台紙の一部が上下方向から見て波形に屈曲されてなる波形壁部を備え、
開封状態では、前記蓋部が前記後面に係脱自在に開閉し、
開封前の封止状態では、前記フラップが前記封止部によって前記後面に固定されているとともに、前記仕切部材の前記第１の電池収納領域により複数本の前記第１の円筒形電池を所定本数毎に仕切って収納する第１の区画と、前記仕切部材の前記第２の電池収納部により前記第２の円筒形電池を１本ずつ仕切って収納する第２の区画とが形成され、
前記第１の区画は、直立した１本の前記第１の円筒形電池の転倒を防止する左右幅を有し、
前記第２の区画は、上下方向から見て、前記波形壁部の面と前記外箱の内面とによって閉鎖されてなり、一つの前記第２の区画は、１本の前記第２の円筒形電池の側面を前記波形壁部の面と前記外箱の内面とに接触させた状態で収納するように形成されている、
ことを特徴とする紙製電池パッケージ。
【００１２】
前記外箱は、上端と下端が山型に形成されて左右方向で互いに対面する左側面および右側面と、左右方向から見て前記山型を形成するように左右方向に稜線を有して屈曲あるいは湾曲されてなる上面および下面を有し、
前記封止状態では、前記外箱の内部に前記上面と前記下面とによって前記円筒形電池の上方と下方に空間が形成される、
ことを特徴とする紙製電池パッケージとすればより好ましい。
【００１３】
前記第２の電池収納領域には、上下方向から見て、前記波形壁部に波高が同じで波長が異なる複数の電池収納領域が形成され、
当該複数の電池収納領域のそれぞれには、前記波長に応じた直径を有する円筒形電池が左右方向に向かって千鳥配置された状態で収納される、
ことを特徴とする紙製電池パッケージとしてもよい。
【００１４】
左右の一方を左方、他方を右方として、
前記前壁部は、前記後壁部に対して上方に配置され、前記第１の電池収納領域と前記第２の電池収納領域との境界に対して左方の領域と右方の領域とを有するとともに、左右方向に延長する上縁辺と上下方向に延長する左右の縁辺とを有し、  
前記第１の電池収納領域は、前記前壁部の前記右方の領域と後壁部とが対面しない状態で前記側壁部を介して前後方向で接続されてなり、
前記第２の電池収納領域は、前記前壁部の前記左方の領域と前記波形壁部とによって形成され、
前記前壁部の下縁辺は、前記第１の電池収納領域では、右方の裏刃の谷から左下方に向かう上刃を経て左方の裏刃の山に至る鋸刃状に形成されているとともに、前記第２の電池収納領域では、前記上刃に沿って左下方に向かう途上で左右方向に延長する直線に沿って屈曲して左方の縁辺に至り、
前記後壁部は、左右方向に延長する下縁辺と上下方向に延長する右方の縁辺を有し、
前記後壁部の上縁辺は、右方の裏刃の山から左下方に向かう上刃を経て左方の裏刃の谷に至る鋸刃状に形成され、
前記前壁部の前記裏刃の谷および山が、それぞれ前記後壁部の前記裏歯の前記山および谷に接続されて前記側壁部が形成され、
前記波形壁部は、前記第１の電池収納領域の左端に形成された前記側壁部の後縁辺から前記後壁部の下縁辺に至る上下方向の折り線に沿って前方に山折りに折り返されているとともに、前記前壁部に至る途上で谷折りされた後、順次波頂が形成されるように、左方に向かって交互に谷折りおよび山折りされている、
ことを特徴とする紙製電池パッケージとすることもできる。
【発明の効果】
【００１５】
本発明によれば、大きなコストアップを伴わずに、様々な要求を満たした多種多様な機能を備えた紙製電池パッケージを提供することができる。より具体的な効果については以下の記載で明らかにする。
【図面の簡単な説明】
【００１６】
【図１】封止状態にある上記実施例に係る紙製電池パッケージを示す六面図である。
【図２】本発明の実施例に係る紙製電池パッケージの封止状態を示す斜視図である。
【図３】開封状態にある上記実施例に係る紙製電池パッケージを示す斜視図である。
【図４】上記実施例に係る紙製電池パッケージにおいて開封後の美観を向上させる機能を説明するための斜視図である。
【図５】上記実施例に係る紙製電池パッケージの内部を示す斜視図である。
【図６】上記実施例に係る紙製電池パッケージにおける円筒形電池の収納状態を示す斜視図である。
【図７】上記実施例に係る紙製電池パッケージを構成する仕切部材を示す斜視図である。
【図８】上記仕切部材と円筒形電池の収納状態との関係を示す平面図である。
【図９】上記実施例に係る紙製電池パッケージを構成する外箱と上記仕切部材のそれぞれの起源となる台紙を示す平面図である。
【図１０】上記実施例に係る紙製電池パッケージに対して上面と下面の形状が異なる紙製電池パッケージを示す側面図である。
【図１１】上記実施例に係る紙製電池パッケージを構成する仕切部材のその他の例を示す斜視図である。
【図１２】本発明のその他の実施例に係る紙製電池パッケージの外観を示す斜視図である。
【図１３】上記その他の実施例に係る紙製電池パッケージを構成する外箱の起源となる台紙を示す平面図である。
【発明を実施するための形態】
【００１７】
本発明の実施例について、以下に添付図面を参照しつつ説明する。なお以下の説明に用いた図面において、同一または類似の部分に同一の符号を付して重複する説明を省略することがある。ある図面において符号を付した部分について、不要であれば他の図面ではその部分に符号を付さない場合もある。
【００１８】
＝＝＝紙製電池パッケージ＝＝＝
本発明の実施例に係る紙製電池パッケージ（以下、電池パッケージとも言う）は、ＬＲ６型（単三形）とＬＲ０３型（単四形）の二種類の円筒形電池を混在させて収納しつつ、開封後は二種類の円筒形電池（以下、総じて電池とも言う）の保管ケースとしても機能する。ここでは、６本のＬＲ６型の円筒形電池（以下、単三形電池とも言う）と、６本のＬＲ０３型の円筒形電池（以下、単四形電池とも言う）を円筒軸が互いに平行となるように直立させた状態で収納するための電池パッケージを挙げる。
【００１９】
図１に本発明の実施例に係る電池パッケージ１の六面図を示した。また図２に電池パッケージ１の外観を斜視図にして示した。図１および図２は、ともに開封前の電池パッケージ１を示しており、内部には１２本の電池が収納されている。ここで、電池パッケージ１に収納される電池の円筒軸方向を上下方向とし、電池パッケージの上下方向もこの円筒軸方向と同じ方向であるものとする。また電池パッケージ１内の１２本の電池は、一方の電極端子が上下いずれかの方向に向いた状態で直立しつつ、左右方向に並列配置された状態で収納されているものとして左右方向を規定することとする。また上下左右の各方向に直交する方向を前後方向とする。そして図１（Ａ）、（Ｂ）、（Ｃ）、（Ｄ）、（Ｅ）、および（Ｆ）を、それぞれ電池パッケージ１の上面図、前面図、左側面図、右側面図、下面図、および後面図として、電池パッケージ１における、前後、左右、および上下の各方向を規定することとする。したがって、図２（Ａ）は、電池パッケージ１を右下前方から見たときの斜視図となり、図２（Ｂ）は、電池パッケージ１を左下後方からの見たときの斜視図となる。以下に、図１と図２に従って本実施例に係る電池パッケージ１の開封前の形状や構造について説明する。
【００２０】
＜外観形状＞
電池パッケージ１の外観は、前後に扁平な箱状で、前面２と後面３が左右方向に長辺を有する矩形状に形成されている。上面４と下面５は、前後中央に左右方向に横断する稜線（４０、５０）を有する山型に形成されており、左右の側面（６、７）は扁平な六角形状である。すなわち、電池パッケージ１は、左右方向を軸方向とした前後方向に扁平な六角柱状の外観形状を有している。それによって電池パッケージ１の内部には電池の電極端子部の上方及び下方に山型の空間が形成される。すなわち本実施例の電池パッケージ１では、電池の上下端面が電池パッケージ１の内面に接触せず、素材である紙が吸湿した場合でも、電池の電極端子に錆が発生することがない。
【００２１】
前面２の下縁辺２２は、下面５を介して後面３の下縁辺３２に連続している。一方、前面２の上縁辺２１は後面３に連続していない。そして当該上縁辺２１には、山型の上面４を形成しつつ後面３を覆うフラップ部１０が接続している。フラップ部１０は、後面３の上半分程度の領域を覆っている。フラップ部１０において、後面３を覆う領域の左右中央の下端には、なだらかな頂部１１ａを有して下方に山型に突出する舌片１１が形成されている。当該舌片１１は、山の裾に相当する基部１１ｂを谷折り線として後方に立ち上げられるようになっている。またフラップ部１０において舌片１１の形成領域の左方および右方の下端には、図中点線で示したように差し込み１２が下方に向けて突出するように形成され、その差し込み１２が後面３に形成された差し込み口３３に挿入されている。それによってフラップ部１０が後面３に係止されて電池パッケージ１が封止される。
【００２２】
フラップ部１０において、舌片１１の外形を形成する山型の頂部１１ａから上面４の後縁辺４１の左端と右端に向けて延長した線上には複数の切欠１３からなるジッパー部１４が形成されている。そして基部１１ｂを折り線として立ち上げた舌片１１を持ってフラップ部１０を後上方に引っ張ると、ジッパー部１４が破断し、電池パッケージ１が開封される。なお、フラップ部１０には、舌片１１の基部１１ｂの左右中央の一部の線分を共有しつつ、その線分の左右端部を起点として上方に凸となる円弧状の切欠１５が形成されている。当該切欠１５によって画成された半円形の部位１６は、開封後に電池パッケージ１を電池の保管ケースとして利用する際に、フラップ部１０を後面３に係止するために設けられたものである。なお当該半円形の部位（以下、係止片１６とも言う）の機能や構造については後述する。
【００２３】
＜開封時の形状と構造＞
図３に開封状態にある電池パッケージ１を左後下方から見たときの斜視図を示した。当該図３に示したように、ジッパー部１４を破断させて電池パッケージ１を開封すると、フラップ部１０は、ジッパー部１４に沿いつつ舌片１１に連続する三角形状の蓋部１０ａと、蓋部１０ａ以外の部位１０ｂ、すなわち後面３の差し込み口３３に係止されていた差し込み１２を有して電池パッケージ１を封止するための部位（以下、封止部１０ｂとも言う）とに分離する。蓋部１０ａを閉じる際には、蓋部１０ａに円弧状に形成された切欠１５に沿って上記の係止片１６を電池パッケージ１の内方側に立ち上げ、その立ち上げた係止片１６を後面３の下方中央に画成された差し込み口（以下、係止口３５とも言う）に挿入する。それによって蓋部１０ａが後面３に開閉可能に係止され、開封後の電池パッケージ１が電池の保管ケースとして利用できるようになる。
【００２４】
また、本実施例の電池パッケージ１は、電池の保管ケースとして利用される際の美観を考慮した構造を有している。図４は、電池の保管ケースとしての利用を考慮した電池パッケージの構造を説明するための図である。図４に示したように、電池パッケージ１は、開封時にフラップ部１０の蓋部１０ａと分離された封止部１０ｂの差し込み１２を後面３の差し込み口３３から引き抜くだけで容易に外箱１ａから取り外すことができる。このように、本実施例の電池パッケージ１は、開封後にジッパー部１４の破断線が外箱１ａに残らず、開封後も優れた美観を備えたものとなる。
【００２５】
＜電池の収納状態＞
電池パッケージ１の内方は電池（８０ａ、８０ｂ）の収納空間であり、当該収納空間の右方と左方には、それぞれ６本の単三形電池８０ａと６本の単四形電池８０ｂが左右方向に並んで収納されている。開封した状態の電池パッケージ１は、上方が開口する前後に扁平な箱状で、底部は山型の下面５の内面で左右方向に延長するＶ字溝状となっている。前後方向の内寸は単三形電池８０ａの直径とほぼ同じである。後面３の上端側は、閉じた状態にある蓋部１０ａと対面する領域が当該蓋部１０ａに沿う形状に切り欠かれた形状で下方を上底とした等脚台形状の開口部３４が形成されている。またその開口部３４が電池（８０ａ、８０ｂ）の収納空間における上方の開口に連続している。すなわち後面３の上縁辺３１は、下方を上底とした等脚台形の両脚と上底に沿う形状となっている。電池パッケージ１は、このような後面３の形状により、蓋部１０ａを開くと後面３の開口部３４から電池収納空間における上方の開口までの広い領域で開口する。そのため、左右の端部以外に収納されている電池（８０ａ、８０ｂ）では、電池パッケージ１内の電池８０を上方から取り出す際に、側面に触れることができ、電池（８０ａ、８０ｂ）を容易に取り出せる。例えば、開封直後で左右方向に電池（８０ａ、８０ｂ）が密接して収納されている場合、後方から見て開口部３４から露出する電池（８０ａ、８０ｂ）の側面に指の腹を当てて擦り上げるようにすれば、その電池（８０ａ、８０ｂ）を容易に取り出すことができる。
【００２６】
このように、本実施例の電池パッケージ１は、電池（８０ａ、８０ｂ）の保管ケースとして利用する際に、電池（８０ａ、８０ｂ）を容易に取り出せる。しかし、本実施例の電池パッケージ１のより大きな特徴は、従来の電池パッケージと同様に前後方向の内寸が左右方向で一定であるものの、サイズが異なる電池を混在させて収納することができる点にある。しかも、本実施例の電池パッケージ１では、パッドで隙間を埋めることなく、サイズが小さい方の電池が内部でがたつくのを防止するための内部構造を備えている。概略的には、電池パッケージ１は、扁平な六角柱状の外形を有する外箱と、その外箱１ａ内に組み込まれた仕切部材とから構成されており、その仕切部材が電池パッケージ１の内部で異なるサイズの電池（８０ａ、８０ｂ）を遊びが無い状態で正立させている。しかも、仕切部材は所定の形状に裁断されているとともに折り線を有する１枚の台紙から組み立てられており、極めて安価に製造することができる。そして、その仕切部材は、電池パッケージ内における電池の残数が少なくなって、電池（８０ａ、８０ｂ）同士が左右方向で互いに支え合うことができなくなっても電池の転倒を防止できるようになっている。
【００２７】
図５と図６に電池パッケージ１内における電池（８０ａ、８０ｂ）の収納状態を説明するための図を示した。図５（Ａ）は、電池パッケージ１を左上後方から見たときの斜視図であり、ここでは、電池パッケージ１内の電池（８０ａ、８０ｂ）を全て取り出したときの状態を示した。図５（Ｂ）は蓋部１０ａを開いたときの電池パッケージ１を上後方から見たときの斜視図である。図６は電池の収納状態を下後方から見たときの斜視図であり、ここでは外箱１ａを省略している。
【００２８】
図５（Ａ）に示したように、電池パッケージ１は、前後に扁平な箱状の外箱１ａと、外箱１ａの内部に組み込まれた仕切部材１ｂとによって構成されており、電池パッケージ１の内部に組み込まれた仕切部材１ｂは、自身の構造と外箱１ａの内面とによって電池（８０ａ、８０ｂ）を仕切って収納するための区画（９０ａ、９０ｂ）を形成している。この例では、単三形電池８０ａを２本ずつ仕切った状態で収納するための三つの区画（以下、単三区画９０ａともいう）と、６本の単四型電池８０ｂを１本ずつ仕切った状態で収納するための六つの区画（以下、単四区画９０ｂとも言う）が形成されている。
【００２９】
図５（Ｂ）に示したように、開封直後の電池パッケージ１内には、右端から６本の単三形電池８０ａが左方に向かって一列に収納されている。また図６に示したように、左端から６本の単四形電池８０ｂが右方に向かって前後に互い違いになるように千鳥配置された状態で収納されている。
【００３０】
＜仕切部材の構造＞
図７に仕切部材１ｂの構造を示した。また図８に仕切部材１ｂと電池の収納状態との関係を示した。図７（Ａ）は仕切部材１ｂを後上方から見たときの斜視図であり、図７（Ｂ）は仕切部材１ｂを右後上方から見たときの斜視図である。また図８は仕切部材１ｂを上方から見たときの平面図である。なお図８では、仕切部材１ｂに対する電池（８０ａ、８０ｂ）の収納状態も示した。以下、図７と図８を参照しつつ仕切部材１ｂの構造について説明する。
【００３１】
図７に示したように、仕切部材１ｂは、単三形電池８０ａを収納するための右方の領域（以下、単三収納領域１Ｒとも言う）と単四形電池８０ｂを収納するための左方の領域（以下、単四収納領域１Ｌとも言う）とを有し、単三収納領域１Ｒには、前方と後方に前後方向を法線とした面を有する壁部（以下、前壁部９１、後壁部９２Ｒとも言う）が形成され、その前後の壁部（９１、９２Ｒ）が左右方向を法線とした面を有する壁部（以下、側壁部９３とも言う）によって接続された構造を有している。そして、仕切部材１ｂを外箱１ａ内に組み込むと、仕切部材１ｂにおける前後の壁部（９１、９２Ｒ）と、側壁部９３あるいは外箱１ａの右側面７の内面とによって単三形電池８０ａが２本ずつ収納される単三区画９０ａが外箱１ａ内に形成される。この例では、三つの単三区画９０ａのうち、中央と左端の単三区画９０ａは、前後の壁部（９１、９２Ｒ）と左右方向に対面する二つの側壁部９３とによって形成される。右端の単三区画９０ｃについては、左方にのみ側壁部９３を有して右端が開放し、当該右端の単三区画９０ｃについては、外箱１ａの右側面７の内面が右方の側壁部として機能する。また、単三収納領域１Ｒの最も左側にある左端の側壁部９３Ｌの前縁辺９３ｃと、この前縁辺９３ｃに連続して下方に延長する後壁部９２Ｒの左縁辺９２ｄとによって単四収納領域１Ｌとの境界（以下、境界（９３ｃ−９２ｄ）とも言う）が形成されている。
【００３２】
前壁部９１は、単三収納領域１Ｒと単四収納領域１Ｌとで共用される部位であり、外箱１ａの左右方向の内寸とほぼ一致する左右幅を有している。前壁部９１の上縁辺９１ａは左右方向に向かう直線状であり、下縁辺９１ｂは、単三収納領域１Ｒでは鋸刃状に形成されている。この例では、右方の裏刃の谷から左下方に向けて上刃が形成されて左方の裏刃の山に至る。そして、この鋸刃状の下縁辺９１ｂにおいて、裏刃の山と谷を結ぶ上下方向に沿う直線が側壁部９３の前縁辺９３ａを兼ねている。後壁部９２Ｒは、前壁部９１と前後方向で対面する領域がなく、前壁部９１に対して下方に配置されている。そして後壁部９２Ｒの下縁辺９２ａは左右方向に向かう直線状で、上縁辺９２ｂは鋸刃状に形成されている。この例では、前壁部９１の下縁辺９１ｂと歯合するように、右方の裏刃の山から左下方に向かう上刃を経て左方の裏刃の谷に至る。そして、この鋸刃状の上縁辺９２ｂにおいて、裏刃の山と谷を結ぶ上下方向に沿う直線が側壁部９３の後縁辺９３ｂを兼ねている。なお、前壁部９１の右縁辺９１ｃと後壁部９２Ｒの右縁辺９２ｃは左右方向の位置が同じである。また、後壁部９２Ｒの左縁辺９２ｄは、左端の側壁部９３Ｌの後縁辺９３ｃを下方に延長した線上にある単四収納領域１Ｌは、前壁部９１において単三収納領域１Ｒに対して左方の領域と、単三収納領域１Ｒの左端に連続して左方に向かって蛇腹状に屈曲しながら延長する壁部９２Ｌとで構成されている。
【００３３】
蛇腹状に屈曲する壁部９２Ｌは、上方から見ると波形（なみがた）に屈曲し、図８に示したように、波高Ｈは外箱１ａの前後方向の内寸とほぼ一致している。また、この蛇腹状に屈曲する壁部（以下、波形壁部９２Ｌとも言う）の下縁辺９２ｅは、単三収納領域１Ｒにおける後壁部９２Ｒの下縁辺９２ａに連続し、前後方向から見ると直線状である。波形壁部９２Ｌの上縁辺９２ｆは、この例では右方から左方に向かって段階的に上方に向かって延長している。そして仕切部材１ｂを外箱１ａ内に組み込むと、波形壁部９２Ｌの波頂９２ｇが外箱１ａの前後の内面に直接、あるいは前壁部９１の後面を介して間接的に接する。
【００３４】
また、波形壁部９２Ｌの右端は、単三収納領域１Ｒにおける左端の側壁部９３Ｌの前縁辺９３ｃと、その前縁辺９３ｃの下方に連続する後壁部９２Ｒの左縁辺９２ｄの位置に形成された折り線であり、当該折り線とその延長線が単三収納領域１Ｒと単四収納領域１Ｌとの境界（９３ｃ−９２ｄ）となる。そして、図８に詳しく示したように、上方から見ると、当該境界（９３ｃ−９２ｄ）では、波形壁部９２Ｌは、当該境界（９３ｃ−９２ｄ）で単三収納領域１Ｒにおける左端の側壁部９３Ｌと対面するように、後方から見て山折りに１８０゜の角度で反転して前方に折り返されている。そして前壁部９１に至る途上（符号９２ｋ）で右端の波頂９２ｈに向けて谷折りされた後、その谷折りされてなる右端の波頂９２ｈに至る。次いで、この谷折りされてなる右端の波頂９２ｈから左方に向けて順に山折り、および谷折りされて各波頂９２ｇが形成される。そして、波形壁部９２Ｌは、後方から見て、最も左側の山折りされてなる波頂９２ｉから次の波頂に至る途上で途切れ、左縁辺９２ｊが外箱１ａの左側面６の内面に当接する。それによって、外箱１ａの内面と波形壁部９２Ｌの前面あるいは後面とで囲繞された空間が形成され、この空間が１本の単四型電池が収納される単四区画９０ｂとなる。
【００３５】
各単四区画９０ｂでは、単四形電池８０ｂの側面が波形壁部９２Ｌの前面あるいは後面と外箱１ａの内面とに接する。すなわち、上方から見ると、各単四形電池８０ｂは、単四収納領域１Ｌの右端と左端の四辺形の単四区画（９０ｅ、９０ｆ）、およびこれら端部の単四区画（９０ｅ、９０ｆ）間に形成されて四つの三角形状の単四区画９０ｂの内接円を形成する。なお、波形壁部９２Ｌの右端側は、単三収納領域１Ｒとの境界（９３ｃ−９２ｄ）にて１８０゜に折り返されているため、右端の単四区画９０ｅに収納される単四形電池８０ｂは、単三収納領域１Ｒにおける左端の側壁部９３Ｌにも支持され、外箱１ａの内部でがたつくことがない。また、仕切部材１ｂの上下幅、および左右幅は、外箱１ａの前面２と後面３における上下方向の内寸、および左右方向の内寸と同等であり、仕切部材１ｂ自体も外箱１ａ内でがたつくことがない。
【００３６】
＝＝＝台紙＝＝＝＝
本実施例の電池パッケージ１を構成する外箱１ａと仕切部材１ｂは、それぞれ１枚の台紙から組み立てられている。そして電池パッケージ１の外箱１ａは、接着剤を用いず、折れ線に従って台紙を折り曲げたり立ち上げたりするとともに、差し込みを対応する切り込みや差し込み口に挿入するだけで組み立てられる。仕切部材１ｂは、折れ線に従って折り曲げるだけで組み立てられる。図９に外箱１ａと仕切部材１ｂの台紙（１０１ａ、１０１ｂ）を示した。図９（Ａ）は外箱１ａの起源となる台紙１０１ａを示しており、図９（Ｂ）は仕切部材１ｂの起源となる台紙１０１ｂを示している。
【００３７】
＜外箱の台紙＞
図９（Ａ）は、外箱１ａの台紙１０１ａを展開したときに、外箱１ａの外面となる面を見たときの平面図を示している。そして図中に示したように、組み立て状態にある電池パッケージ１の前面２を基準にして上下左右の方向を規定している。そして図中では山折り線を点線、谷折り線を一点鎖線で示している。
【００３８】
図９（Ａ）に示したように、外箱１ａとなる台紙１０１ａは、矩形状の前面２の左右の縁辺（２３、２４）および上下の縁辺（２１、２２）にそれぞれ左右の側面（６、７）と上下の面（４、５）が連続しており、下面５の下方に下端側が等脚台形状に切り開かれた開口部３４が形成された後面３が連続している。上面４はフラップ部１０の一部として、前面２の上縁辺２１から連続している。また左側面６の左方、および右側面７の右方には、外箱１ａを組み立てる際に、後面３の内側に配設される内フラップ（１０２、１０３）が連続している。
【００３９】
左右の各側面（６、７）とそれぞれの側面（６、７）に連続する内側フラップ（１０２、１０３）との境界には切り込みからなる差し込み口（１０４、１０５）が形成されている。そして後面３の左右縁辺（３６、３７）には、上記差し込み口（１０４、１０５）に挿入される差し込み（１０６、１０７）が形成されている。後面３には、フラップ部１０に形成されている差し込み１２が挿入される差し込み口３３と、係止片１６が挿入される係止口３５とが形成されている。なお、差し込み口３３は、横長の矩形状の開口３３ａと、当該開口３３ａの上端の左隅および右隅のコーナーから左上方および右上方に延長する線状の切り込み３３ｂとで構成されている。
【００４０】
このように、本実施例の電池パッケージの外観をなす外箱１ａは、図９（Ａ）に示した１枚の台紙１０１ａを折り線に従って屈曲させつつ、対応関係にある差し込み（１２、１０６、１０７）を差し込み口（３３、１０４、１０５）に係止させるだけで組み立てることができる。すなわち接着剤を用いないため、開封後に接着剤の後が残ることがなく美観に優れている。また内部には電池８０の上下端面の上下方向に山型の空間が確保されて、電極端子と外箱１ａの内面とが接触することを防止したり、落下などに際して山型の空間が緩衝部となって電池８０の変形などを防止したりする機能も備えている。そして本実施例の電池パッケージ１は、これらの機能によって外箱１ａの形状が前後方向に扁平で左右方向に軸を有する筒状に形成されて美観に優れたものとなっている。
【００４１】
＜仕切部材の台紙＞
次に、図９（Ｂ）に基づいて仕切部材１ｂとなる台紙１０１ｂについて説明する。なお、図９（Ｂ）では、仕切部材１ｂが組立後の外箱１ａに収納されている状態を基準にして上下左右前後の各方向を規定しており、ここでは台紙１０１ｂを後方から見たときの平面図を示した。なお、図９（Ｂ）に示した台紙１０１ｂにおける部位や領域の名称については、基本的に、仕切部材１ｂにおける部位や領域と同じ名称を用いることとし、図中における符号についても図７、図８と同じ符号を用いることとする。そして図９（Ｂ）では、前壁部９１、後壁部９２Ｒ、側壁部９３、および波形壁部９２Ｌを異なるハッチングで示した。
【００４２】
図９（Ｂ）に示したように、仕切部材１ｂの起源となる台紙１０１ｂは、前壁部９１と、単三収納領域１Ｒにおける後壁部９２Ｒと単四収納領域１Ｌにおける波形壁部９２Ｌの双方を包含した領域（以下、共通壁部９２とも言う）とが上下方向で左右に互い違いになっているとともに、前壁部９１と共通壁部９２とが側壁部９３を介して接続された平面形状となるように裁断されているとともに、各所に切り込み線９４が形成されている。
【００４３】
台紙１０１ｂは、後方から見ると、前壁部９１が共通壁部９２に対して右方にずれ、共通壁部９２の左端は、前壁部９１左端に対して大きく左方に突出している。共通壁部９２は、前壁部９１よりも左方に突出する領域では、上縁辺９２ｆが左方に向かって段階的に上方に向かって拡幅している。そして、台紙１０１ｂの平面領域内の各所に折り線が形成されている。図中では、山折り線を点線、谷折り線を一点鎖線で示している。
【００４４】
台紙１０１ｂの外形を象る裁断領域において、単三収納領域１Ｒには、右方から左方に向かって下方に傾斜する４本の切り込み線（９４ａ〜９４ｄ）が左右方向に並んで形成されている。また、基端９５から終端９６に向けた方向を傾斜の下り方向とすると、図示した例では、各切り込み線（９４ａ〜９４ｄ）は、右端を基端９５として左端の終端９６に向かって下るように傾斜している。なお、以下では、単三収納領域１Ｒにおける４本の切り込み線（９４ａ〜９４ｄ）について、右方から左方に向かって順に第１〜第４の切り込み線（９４ａ〜９４ｄ）と称することとする。
【００４５】
最も右側の第１の切り込み線９４ａは、前壁部９１の右縁辺９１ｃの下端を基端９５ａとして、当該基端９５ａから前壁部９１の下縁辺９１ｂを共通しつつ左下方に延長し裁断領域内方の終端９６ａに至る。この第１の切り込み線９４ａの左方には二つの同じ形状の第２および第３の切り込み線（９４ｂ、９４ｃ）が形成されている。第２および第３の切り込み線（９４ｂ、９４ｃ）は、基端（９５ｂ、９５ｂ）から終端（９６ｂ、９６ｂ）に向けて傾斜しつつ途中で傾斜の角度が変わる屈曲点９７を有している。また、第２および第３の切り込み線（９４ｂ、９４ｃ）は基端（９５ｂ、９５ｃ）および終端（９６ｂ、９６ｃ）の上下方向の位置が同じであり、終端（９６ｂ、９６ｃ）については第１の切り込み線９４ａの終端９６ａの上下位置と同じである。
【００４６】
単三収納領域１Ｒの左端の第４の切り込み線９４ｄは、基端９５ｄの上下位置が第２、第３の切り込み線（９４ｂ、９４ｃ）の基端（９５ｂ、９５ｃ）の上下位置と同じであり、第２〜第４の切り込み線の基端間（９５ｂ−９５ｃ、９５ｃ−９５ｄ）は、左右方向に同じ距離Ｄ１だけ離間している。また、第２〜第４の切り込み線９４ｄにおいて、基端（９５ｂ〜９５ｄ）から屈曲点９７までの線分は、互いに平行であり、左右方向に同じ距離Ｄ２だけ離間し、第２〜第４の切り込み線（９４ｂ〜９４ｄ）における屈曲点９７の上下方向の位置は同じである。そして、第４の切り込み線９４ｄの屈曲点９７は、前壁部９１の左縁辺９１ｄの位置まで直線的に延長する切り込み線９４ｅに連続している。そしてこの直線状の切り込み線９４ｅは、単四収納領域１Ｌの波形壁部９２Ｌの上縁辺９２ｆとなる。なお、波形壁部９２Ｌの上縁辺９２ｆは、前壁部９１の左縁辺９１ｄより左方では、段階的に上方に向かって拡幅するように屈曲し、各屈曲点に波頂部９２ｇとなる折り線が形成されている。
【００４７】
単三収納領域１Ｒにおいて、左右で隣接する切り込み線間（９４−９４）には、側壁部９３における前縁辺９３ｃおよび後縁辺９３ｄに対応して上下方向に延長する折り線が形成されている。具体的には、第２〜第４の切り込み線（９４ｂ〜９４ｄ）の屈曲点９７の直下に第１〜第３の切り込み線（９４ａ〜９４ｃ）の終端（９６ａ〜９６ｃ）が配置されて、第２〜第４の切り込み線（９４ｂ〜９４ｄ）の屈曲点９７と屈曲点９７と第１〜第３の切り込み線（９４ａ〜９４ｃ）の終端（９６ａ〜９６ｃ）との間には山折り線が形成されている。また、第２〜第４の切り込み線（９４ｂ〜９４ｄ）の基端（９５ｂ〜９５ｄ）から下方に向けて第１〜第３の切り込み線（９４ａ〜９４ｃ）のそれぞれの延長途上に至る直線上には、谷折り線が形成されている。第４の切り込み線９４の終端９６ｄからは後壁部９２Ｒの下縁辺９２ａに向けて山折り線９３ｅが形成されている。なお第１の切り込み線９４ａは、後壁部９２Ｒの右縁辺９２ｃの左右位置から終端９６ａに至る線分が第２、第３の切り込み線（９４ｂ、９４ｃ）における屈曲点９７から終端（９６ｂ、９６ｃ）に至る線分と平行である。
【００４８】
上述したように、前壁部９１と、後壁部９２Ｒを含む共通壁部９２とは、上下方向で左右に互い違いに配置されているが、第１〜第４の切り込み線（９４ａ〜９４ｄ）の基端間（９５ａ−９５ｂ、９５ｂ−９５ｃ、９５ｃ−９５ｄ）は、左右方向に同じ距離Ｄ１だけ離間し、第２〜第４の切り込み線（９４ｂ〜９４ｄ）のそれぞれにおける基端（９５ｂ〜９５ｄ）と屈曲点９７との間は左右方向に同じ距離Ｄ２だけ離間している。そして、互いの右縁辺同士（９１ｃ―９２ｃ）は所定の距離Ｄ３を有して左右方向に離間している。そして、この距離Ｄ３は、１本の切り込み線９４において基端９５に接続する谷折り線９３ｃとこの谷折り線の左方に隣接する山折り線９３ｄの左右の距離、すなわち側壁部９３の前縁辺９３ｃと後縁辺９３ｄと間の距離Ｄ２と同じである。それによって、台紙１０１ｂから折り線にしたがって側壁部９３を立ち上げて仕切部材１ｂを組み立てると、単三収納領域１Ｒでは、前壁部９１と後壁部９２Ｒの右の縁辺同士（９１ｃ−９２ｃ）の位置が左右方向で同じとなる。
【００４９】
単三収納領域１Ｒにおける第４の切り込み線９４ｄの終端９６ｄから左方の領域は単四収納領域１Ｌであり、前壁部９１の左端側と波形壁部９２Ｌとで構成される。波形壁部９２Ｌの右端は、単三収納領域１Ｒとの境界（９３ｃ−９２ｄ）で、左端の側壁部９３Ｌの前縁辺９３ｃと当該前縁辺９３ｃの下方に延長する後壁部９２Ｒの左縁辺９２ｄとに対応する山折り線である。波形壁部９２Ｌには、仕切部材１ｂにおいて蛇腹状に屈曲された際の波形の各波頂９２ｇに対応する折り線として、右方から左方に向かって谷折り線と山折り線がこの順に交互に形成されている。また、隣接する波頂間（９２ｇ−９２ｇ）に対応する谷折り線と山折り線とは所定の距離Ｄ４だけ離間している。なお、波形壁部９２Ｌの右端（９３ｃ―９２ｄ）は、上述したように、仕切部材１ｂでは１８０゜に折り返される山折り線であり、当該山折り線（９３ｃ−９２ｄ）から波形壁部９２Ｌにおいて最も右側の波頂９２ｈに至る途上に谷折り線９２ｋが形成されている。
【００５０】
このように、本実施例に係る電池パッケージ１を構成する仕切部材１ｂの起源となる台紙１０１ｂにおいて、単三収納領域１Ｒは、上下方向で左右に互い違いとなる裁断形状や斜めの切り込み線９４を有している。それによって、各折り線（９３ａ、９３ｂ、９２ｄ）に癖をつけておけば、前壁部９１の左縁辺９１ｄと後壁部９２Ｒの右縁辺９２ｃを持って、これらの縁辺（９１ｄ、９２ｃ）をそれぞれ左前方よび右後方にずらすだけで側壁部９３が立ち上がり、容易に単三収納領域１Ｒが形成される。また、波形壁部９２Ｌにおいて波頂９２ｇとなる折り線で屈曲しつつ、波形壁部９２Ｌの左縁辺９２ｊを前壁部９１の左縁辺９１ｄに揃えれば単四収納領域１Ｌが形成される。したがって、本実施例の電池パッケージ１は、容易に１枚の台紙１０１ｂから仕切部材１ｂを組み立てることができる。
【００５１】
＝＝＝その他の実施例＝＝＝
電池パッケージの外観形状は上記実施例に限らない。図１０は外観形状が異なる電池パッケージ（２０１、３０１）の例を示している。図１０では封止状態にある電池パッケージ（２０１、３０１）を左方から見たときの側面図であり、図１０（Ａ）に示した電池パッケージ２０１のように、上面４と下面５は左右方向に延長する折り線からなる稜線がなく、湾曲する山型に形成されている。図１０（Ｂ）に示した電池パッケージ３０１では、左右の側面が前後に扁平な平行四辺形となるように形成されている。いずれにしても、山型の上面と下面を備え、内部に上下方向を軸方向として収納された円筒形電池の上方と下方に空間が形成されていればよい。
【００５２】
仕切部材によって外箱内に形成される区画の数は、適宜に設定可能である。切り込みの形状についても適宜に変更することができる。図９（Ｂ）に示した仕切部材の台紙１０１ｂでは、第２〜第４の切り込み（９４ｂ〜９４ｄ）は、側壁部９３を立ち上げ易くしたり、折り線（９３ｃ、９３ｄ）の位置を確認し易くしたりするために、基端９５から終端９６に向かう延長途上で傾斜の角度が変わる屈曲点９７を有していたが、切り込み線は、基端から終端まで一定の傾斜を有する直線状であってもよい。
【００５３】
上記実施例の電池パッケージでは、単三形電池と単四形電池とを混在させて収納していたが、例えば、外箱の左右方向の幅も変更するとともに、図７に示した仕切部材１ｂにおいて、波形壁部９２Ｌの波高Ｈを変えずに波長λを変えれば単五形など、単三形よりも小さな他の電池を収納することができる。また、波形壁部に異なる波長を有する区画を設ければ、直径が異なる３種類以上の円筒形電池を混在させることもできる。
【００５４】
さらに、仕切部材は、前後方向を法線とする壁面に左右方向を法線とする壁面が接続された構造であれば上記実施例に限らない。図１１に仕切部材１ｃのその他の例を示した。図示した仕切部材１ｃは、上記実施例における仕切部材１ｂと同様に外箱１ａ内に収納されることで三つの単三区画９０ａと六つの単四区画９０ｂを形成する。そして、この図に示した仕切部材１ｃでは、切り込み線がない所定の裁断形状を有する１枚の台紙を折り線で屈曲させてなる。
【００５５】
具体的には、仕切部材１ｃにおける単三収納領域１Ｒは、上縁辺１９１に凹状の切欠１９０を有する帯状の台紙部分からなり、この台紙部分が左右方向に向かってクランク状に屈曲されて、前壁部９１、側壁部９３、および後壁部９２Ｒが連続して形成されている。前壁部９１の上下幅ｗ１は、外箱１ａの前面２および後面３の上下方向の内寸と同等である。そして、右端の単三区画９０ｃは、右端の前壁部９１Ｒと、外箱１ａの右側面７および後面３の内面とによって形成され、左端の単三区画９０ｄは、左端の前壁部９１Ｌと、その左右に接続されている側壁部９３、および外箱１ａの後面３の内面とによって形成される。また、上端側に凹状の切欠１９０が形成されている後壁部９２Ｒと、その左右に接続されている側壁部９３、および外箱１ａの前面２の内面とによって中央の単三区画９０ａが形成される。それによって、上記実施例の電池パッケージ１における外箱１ａ内に仕切部材１ｃを組み込んで当該外箱１ａを開封すると、前壁部９１が形成されている領域はもちろん、後壁部９２Ｒが形成されている領域に収納されている単三形電池８０ａも後方から確認することができる。もちろん単三形電池８０ａの取り出しも容易となる。
【００５６】
単四収納領域１Ｌは、波形壁部９２Ｌのみで構成され、単三収納領域１Ｒの左端の側壁部９３ｄの前縁辺９３ｃに連続して左方に延長する帯状の矩形領域を、上方から見て蛇腹状に屈曲してなる。そして、波形壁部９２Ｌの波頂部９２ｇが外箱１ａの前面２あるいは後面３の内面に接するとともに、波形壁部９２Ｌの左縁辺９２ｊが外箱１ａの左側面６の内面に接する。それによって、単四区画９０ｂが形成される。また、波形壁部９２Ｌの右端は、この例においても後方から見て山折りに１８０゜の角度で反転するように前方に折り返されて、単三収納領域１Ｒにおける左端の側壁部９３Ｌと対面させている。さらに、この例では、波形壁部９２Ｌの上下幅ｗ３が前壁部９１の上下幅ｗ１よりも小さく、開封状態にある電池パッケージ１内の単四収納領域１Ｌの特に右側の単四形電池８０ｂが後方から容易に確認でき、かつ取り出し易くなっている。なお、波形壁部９２Ｌの上下幅ｗ３は、後壁部９２Ｒの上下幅ｗ２に一致している。
【００５７】
電池パッケージにおけるフラップ部の形状は実施例に限らない。図１２にフラップ部４１０の形状が異なる電池パッケージ４０１を示した。ここでも図１に示した電池パッケージ１と同様にして上下左右前後の各方向を規定している。そして図１２は電池パッケージ４０１を左下後方から見たときの斜視図を示している。図示した電池パッケージ４０１は、フラップ部４１０の形状が異なっており、蓋部４１０ａの右縁辺１７は後面３の右縁辺３７に沿う直線状で、ジッパー部１４は、上面４の後縁辺４１の左端から舌片１１の頂部11aに向けて形成されている。フラップ部４１０は、蓋部４１０ａの左方に封止部４１０ｂを一つだけ備えている。電池パッケージ４０１は、その封止部４１０ｂの下端に形成されている差し込み１２が後面３の差し込み口３３に挿入されることで封止される。
【００５８】
参考までに、図１３に当該電池パッケージ４０１の外箱の起源となる台紙４０２の平面図を示した。当該図１３では、図９（Ａ）に示した台紙１０１ａと同様にして上下左右前後の各方向を規定している。図示したように、フラップ部４１０の形状が異なるだけで、点線で示した折り線に従って各面（２〜７）や内フラップ（１０２、１０３）を立ち上げるとともに、対応関係にある差し込みと差し込み口（１０６−１０４、１０７−１０５、１２−３３）とを係合させることで外箱が組み立てられる。なお仕切部材については、区画の数や左右の幅が異なるだけで、例えば、図７に示したものと同様の構造や形状とすればよい。
【符号の説明】
【００５９】
１，２０１，３０１，４０１  紙製電池パッケージ、
１ａ  外箱、１ｂ、１ｃ  仕切部材、１Ｌ  単四収納領域、１Ｒ  単三収納領域、
２  前面、３  後面、４  上面、５  下面、６  左側面、７  右側面、１０，４１０  フラップ部、１０ａ，４１０ａ  蓋部、１０ｂ，４１０ｂ  封止部、１１  舌片、
１２  差し込み  １３  切欠、１４  ジッパー部、１６  係止片、３１  後面の上縁辺、３３  差し込み口、３４  開口部、３５  係止口、４０  上面の稜線、
５０  下面の稜線、８０ａ  ＬＲ６型（単三形）の円筒形電池、
８０ｂ  ＬＲ０３型（単四形）の円筒形電池、９０ａ  単三区画、９０ｂ  単四区画、
９１  前壁部、９２Ｒ  後壁部、９２Ｌ  波形壁部、９２ｇ〜９２ｉ  波形壁部の波頂、９３,９３Ｌ  側壁部、９４、９４ａ〜９４ｅ  切り込み線、
９５，９５ａ〜９５ｄ  切り込み線の基端、９６，９６ａ〜９６ｄ  切り込み線の終端、１０１ａ、４０２  外箱の台紙、１０１ｂ  仕切部材の台紙、Ｈ  波形壁部の波高、
λ  波形壁部の波長
【図１】
2018181426.tif 000003
【図２】
2018181426.tif 000004
【図３】
2018181426.tif 000005
【図４】
2018181426.tif 000006
【図５】
2018181426.tif 000007
【図６】
2018181426.tif 000008
【図７】
2018181426.tif 000009
【図８】
2018181426.tif 000010
【図９】
2018181426.tif 000011
【図１０】
2018181426.tif 000012
【図１１】
2018181426.tif 000013
【図１２】
2018181426.tif 000014
【図１３】
2018181426.tif 000015